(57)【要約】【課題】画像ファイルの管理及び整理に関して、アルバムという概念を導入し、分類された複数のアルバムを電子的に管理できるようにする。【解決手段】画像ファイルを分類し整理するのに供するアルバムを複数設定することが可能なアルバム作成部（４１３）と、作成された上記複数のアルバムを管理するアルバム管理部（４１６）と、上記作成された複数のアルバムに対応した各アルバムアイコンを表示せしめるアルバムアイコン表示処理部（４１１）とを有する。【選択図】      図２４
2006191302.tif 000002
【特許請求の範囲】
【請求項１】
画像を撮影する撮像部と、
撮影した画像を画像ファイルとして記録する記録部と、
撮影中の画像、または再生した画像を表示する表示部と、
前記画像ファイルを分類し整理するのに供するアルバムを複数設定することが可能なアルバム作成部と、
上記作成された各アルバムに対応した識別情報を撮影中または再生中に前記表示部に表示する表示処理部とを具備したことを特徴とする電子カメラ装置。
【請求項２】
前記アルバム作成部は、
予めメモリに格納されている複数のアルバム識別情報を表示部に表示し、任意のアルバム識別情報が選択決定されたときに、新規アルバムを作成する新規アルバム作成部を有することを特徴とする請求項１記載の電子カメラ装置。
【請求項３】
アルバム管理部を有し、このアルバム管理部は、撮影メニューにおいて、
上記表示処理部により表示される複数のアルバム識別情報の中から所望のアルバム識別情報を特定し、撮影した画像ファイルの保存先アルバムを決定する保存先アルバム選択部を有し、
前記表示処理部は、撮影した画像ファイルが格納される前記アルバム識別情報を画面の一部に表示する、
ことを特徴とする請求項１記載の電子カメラ装置。
【請求項４】
前記アルバム作成部は、前記撮影メニューにおいて、
新規アルバムの作成が指定されたときに、予めメモリに格納されている複数のアルバム識別情報を表示部に表示し、任意のアルバム識別情報が選択決定されたときに、新規アルバムを作成する新規アルバム作成部を有することを特徴とする請求項３記載の電子カメラ装置。
【請求項５】
前記アルバム作成部は、新規アルバムが作成されたときに、ファイル番号をリセットするかどうかを決定するためのガイド画面を表示することを特徴とする請求項４記載の電子カメラ装置。
【請求項６】
アルバム管理部を有し、このアルバム管理部は、再生メニューにおいて、
上記表示処理部により表示される複数のアルバム識別情報の中から所望のアルバム識別情報を特定し、再生用アルバムを決定する再生用アルバム選択部を有し、
前記表示処理部は、再生している画像ファイルが保存されているアルバムのアルバム識別情報を画面の一部に表示する
ことを特徴とする請求項１記載の電子カメラ装置。
【請求項７】
アルバム管理部を有し、このアルバム管理部は、再生メニューにおいて、
１つのアルバムに格納されている画像ファイルをサムネイル表示し、サムネイルをスクロールさせたとき、次のアルバムのサムネイルに移るときは、アルバムの境界を示すマークを表示することを特徴とする請求項１記載の電子カメラ装置。
【請求項８】
アルバム管理部を有し、このアルバム管理部は、再生メニューにおいて、
１つのアルバムに格納されている複数の画像ファイルのサムネイルを複数行に渡ってそれぞれ同時に表示したとき、画面の上部又は下部にも一部が見えた複数のサムネイルを表示することを特徴とする請求項１記載の電子カメラ装置。
【請求項９】
さらに前記複数のアルバムの任意のアルバムに対してプロテクトを設定するアルバム用プロテクト設定手段と、
上記複数のアルバムの中の任意のアルバムに格納されている複数の画像ファイルのうち、任意の画像ファイルにプロテクトを設定する画像ファイル用プロテクト設定手段と、
を有し、
上記表示処理部は、アクセス中のアルバムに含まれる画像ファイルのサムネイルを表示するととともに、前記サムネイルの表示をスクロールさせて、次のアルバムにアクセスが移行するときは、次のアルバムのアルバム識別情報をサムネイルに並べて表示する手段を含み、上記画像ファイル用プロテクト設定手段により、任意の画像ファイルにプロテクトを設定可能とした
ことを特徴とする請求項１記載の電子カメラ装置。
【請求項１０】
さらに前記複数のアルバムの任意のアルバムに対してプロテクトを設定するアルバム用プロテクト設定手段と、
上記複数のアルバムの中の任意のアルバムに格納されている複数の画像ファイルのうち、任意の画像ファイルにプロテクトを設定する画像ファイル用プロテクト設定手段と、
を有し、
上記表示処理部は、設定された複数のアルバムを並べて表示する手段を含み、上記アルバム用プロテクト設定手段により、任意のアルバムの全体にプロテクトを設定可能とした
ことを特徴とする請求項１記載の電子カメラ装置。
【請求項１１】
さらに前記複数のアルバムの任意のアルバムに対してプロテクトを設定するアルバム用プロテクト設定手段と、
上記複数のアルバムの中の任意のアルバムに格納されている複数の画像ファイルのうち、任意の画像ファイルにプロテクトを設定する画像ファイル用プロテクト設定手段と、
を有し、
上記表示処理部は、設定された複数のアルバムを並べて表示する手段を含み、アルバムのスクロールでアクセス対象のアルバムにプロテクトのかかった画像ファイルと、プロテクトのかかっていない画像ファイルが混在した場合、そのアクセス対象のアルバムの表示色を、他のアルバムの表示色とは異なる色に設定することを特徴とする請求項１記載の電子カメラ装置。
【請求項１２】
さらにアルバムに格納されている画像ファイルのスライドショーを実行する機能を有し、
前記スライドショーを実行する前のメニューとして、
上記複数のアルバム内の全部の画像ファイルのスライドショーを実行するのか特定の選択したアルバム内の画像ファイルのスライドショーを実行するのかを選択するためのガイド画面を表示する手段を有することを特徴とする請求項１記載の電子カメラ装置。
【請求項１３】
さらにアルバムに格納されている画像ファイルのコピー或いは移動を実行する機能を有し、
前記コピー或いは移動を実行する手段及びメニュー表示手段として、
コピー或いは移動する画像ファイルを選択するために、画像ファイルの画像を表示させる手段と、
コピー或いは移動する画像ファイルが選択されたときに、コピー先又は移動先のアルバムを選択させるために、設定されている複数のアルバム識別情報を表示する手段と、
表示された複数のアルバム識別情報の中から選択されたアルバム識別情報のアルバムに前記コピー或いは移動する画像ファイルをコピー或いは移動する手段と
を有したことを特徴とする請求項１記載の電子カメラ装置。
【請求項１４】
さらに前記アルバム作成部は、
アルバム新規作成が指定されたときに、予めメモリに格納されている複数のアルバム識別情報を表示部に表示し、任意のアルバム識別情報が選択決定されたときに、アルバムを新規作成する新規アルバム作成部を有し、
前記新規アルバム作成部で作成されたアルバムに前記コピー或いは移動する画像ファイルをコピー或いは移動する手段と
を具備したことを特徴とする請求項１３記載の電子カメラ装置。
【請求項１５】
アクセスするアルバムの識別情報を表示する前に、複数の記録媒体の識別情報を表示し、いずれかの記録媒体を選択するためのガイド画面を表示する手段を有することを特徴とする請求項２，３，６、７，８，９，１０，１１，１２，１３のいずれかに記載の電子カメラ装置。
【請求項１６】
画像ファイルを分類し整理するのに供するアルバムを複数設定することが可能なアルバム作成部と、作成された上記複数のアルバムを管理するアルバム管理部と、上記作成された複数のアルバムに対応した各アルバム識別情報を表示せしめるアルバム識別情報表示処理部とを有した電子カメラ装置に対する操作案内方法において、
前記アルバム作成部では、
予めメモリに格納されている複数のアルバム識別情報を表示部に表示し、任意のアルバム識別情報が選択決定されたときに、新規アルバムを作成するガイド画面のステップを有し、
アルバム管理部では、撮影メニューにおいて、
上記アルバム識別情報表示処理部により表示される複数のアルバム識別情報の中から所望のアルバム識別情報を特定し、撮影した画像ファイルの保存先アルバムを決定するガイド画面のステップを有し、
前記アルバム識別情報表示処理部は、撮影した画像ファイルが格納される前記アルバム識別情報をガイド画面の一部に表示するステップを有する、
ことを特徴とする電子カメラ装置の操作案内方法。
【請求項１７】
画像ファイルを分類し整理するのに供するアルバムを複数設定することが可能なアルバム作成部と、作成された上記複数のアルバムを管理するアルバム管理部と、上記作成された複数のアルバムに対応した各アルバム識別情報を表示せしめるアルバム識別情報表示処理部とを有した電子カメラ装置の操作案内方法において、
前記アルバム管理部では、
上記アルバム識別情報表示処理部により表示される複数のアルバム識別情報の中から所望のアルバム識別情報を特定し、再生用アルバムを決定するステップと、
決定されたアルバムに格納されている画像ファイルをサムネイル表示し、サムネイルをスクロールさせたとき、次のアルバムのサムネイルに移るときは、アルバムの境界を示すマークを表示するステップと、
アルバムに格納されている複数の画像ファイルのサムネイルを複数行に渡ってそれぞれ同時に表示したとき、画面の上部又は下部にも一部が見えた複数のサムネイルを表示するステップを有し
前記アルバム識別情報表示処理部では、
再生している画像ファイルが保存されているアルバムのアルバム識別情報を画面の一部に表示するステップを有する
ことを特徴とする電子カメラ装置の操作案内方法。
【発明の詳細な説明】
【技術分野】
【０００１】
本発明は、電子カメラ装置及びその操作案内方法に関するものであり、特に大容量の記録媒体を搭載あるいは着脱できるような電子カメラ装置に対して有効である。
【背景技術】
【０００２】
電子カメラ装置は、半導体メモリなどの記録媒体を装着可能である。撮像した画像データは、半導体メモリに格納される。また、ユーザが電子カメラを操作すると、半導体メモリに格納されている画像データが読み出され、電子カメラに装備されている液晶表示部に表示される。
【０００３】
ところで、従来の電子カメラ装置では、撮像した画像データは、ファイル番号がつけられて格納されている。
【特許文献１】特開２００２−１９９３３４号公報
【発明の開示】
【発明が解決しようとする課題】
【０００４】
近年は、半導体メモリの記憶容量も大容量となり、画像ファイルも非常に多くのファイルが格納されることになる。また電子カメラ装置をパーソナルコンピュータに接続して、画像データをパーソナルコンピュータで表示させる機能も開発されている。
【０００５】
上記のような電子カメラ装置において、画像ファイルの整理及び管理が必要であるが、従来は有効な整理及び管理方法がない。
【０００６】
そこでこの発明の目的は、画像ファイルの管理及び整理に関して、アルバムという概念を導入し、分類された複数のアルバムを電子的に管理できるようにした電子カメラ装置及び操作案内方法を提供することにある。
【課題を解決するための手段】
【０００７】
この発明は、上記の目的を達成するために、画像を撮影する撮像部と、撮影した画像を画像ファイルとして記録する記録部と、撮影中の画像、または再生した画像を表示する表示部と、前記画像ファイルを分類し整理するのに供するアルバムを複数設定することが可能なアルバム作成部と、上記作成された各アルバムに対応した識別情報を撮影中または再生中に前記表示部に表示する表示処理部とを備えたことを特徴とする。
【発明の効果】
【０００８】
上記の手段により、大容量の記録メディアが用いられたとしても、画像ファイルがアルバムごとに分類され、画像ファイルの整理が便利であり、かつ、アルバム自体の管理が便利である。またアルバム識別情報を有効に活用することで、カメラ装置の操作を正確で容易にすることができる。
【発明を実施するための最良の形態】
【０００９】
以下、図面を参照してこの発明の実施の形態を説明する。まず図１（Ａ），図１（Ｂ）には、本発明が適用された電子カメラ装置の概観図を示す。図１（Ａ）は電子カメラ装置を前方下部から見た図であり、１０１は撮像レンズ、１０２はフラッシュ、１０３は、シャッターボタン、１０４は、リモコン受信部である。１０５は、パーソナルコンピュータ、電源などに接続する場合のアダプタ接続部である。１０６は三脚用ねじ穴、１０７はバッテリーカバー、１０８は、ストラップ取り付け部である。
【００１０】
図１（Ｂ）は電子カメラ装置を後方の左側から見た図である。２０１は液晶モニター、２０３はスピーカであり、これらは一体化した平板状のフレーム２００に内蔵されている。このフレーム２００は、通常は、電子カメラ装置の本体の凹部に収まるもので、使用時には図に示すように開かれる。２０４は、電源オンオフ用のパワーボタンであり、２０５はステイタスＬＥＤ部、２０６はメディアＬＥＤ部である。ステイタスＬＥＤ部２０５は、撮影時、再生時などに応じて発光色が変化する。メディアＬＥＤ部２０６も使用しているメディア（ハードディスク、あるいは半導体メモリ）に応じて発光色が変化する。
【００１１】
２１１は、ムービー録画ボタンであり、動画記録を行うときに操作される。２１２はズームバーであり、ズーム調整に使用される。２１３はジョグダイヤルであり、各種機能の選択操作を行うために使用され、２１４のＯＫボタンにより選択された機能が確定される。ジョグダイヤル２１３の操作内容、状況は液晶モニター２０１に表示される。２１５はメニューボタンであり、モニターにメニュー表示を行うために使用される。２１６は、モードレバーであり、２１７は、着脱可能な半導体メモリを収容する部分のカバーである。
【００１２】
図２は、上記の電子カメラ装置の光学系、電気系のブロック構成を示す図である。レンズ１１から取り込まれた被写体像は、撮像素子１２（例えばＣＣＤ撮像素子）の結像面に結像させる。被写体像は、ここで電気信号に変換されアナログデジタル（Ａ／Ｄ）変換部１３によりデジタル信号に変換され、信号処理部１４に入力する。信号処理部１４では、ガンマ補正、色信号分離、ホワイトバランス調整等が行われる。撮像素子１２、Ａ／Ｄ変換部１３、信号処理部１４などは撮像部として機能する。
【００１３】
通常の撮影状態でシャッタ操作がなされていないときは、信号処理部１４からの映像データは、メモリコントローラ１５を介して画像表示処理部６１に入力される。ここでは、撮影した画像を液晶モニター２０１に表示するための変換処理及びメニュー等の合成処理を行う。画像表示処理部６１からの画像データは、液晶モニター２０１供給される。これにより、撮像中の画像、あるいはスタンバイ状態で狙っている被写体画像が液晶モニター２０１に表示される。
【００１４】
シャッタ操作がなされると、撮像画像データは、画像圧縮・伸張処理部１６において、画像圧縮（例えばＪＰＥＧ方式による圧縮）され、ＣＰＵ（中央演算装置）２０の制御の元で、記録メディアインターフェース３１を介してハードディスク３２Ａ、或いは半導体メモリ（例えばＳＤカードと称されるメモリ）３２Ｂに格納される。記録メディアとしては、ここに示したものに限定されず光ディスクであってもよい。
【００１５】
記録メディアに保存されている画像データが読み出された場合は、ＣＰＵ（中央演算装置）２０の制御の元で、画像圧縮・伸張処理部１６において伸張処理され、メモリコントローラ１５を介して画像表示処理部６１に入力される。これにより再生画像が液晶モニター２０１に表示される。
【００１６】
ワークメモリ１７は、例えば、画像データを編集したり、サムネイル画像を作成したり、画像の順番の入れ替えをするときに利用される。さらには、各種のアイコンを編集する場合にも利用される。このワークメモリ１７は、１画面分の画像データ或は複数画面分の画像データを保存することができる。このワークメモリ１７に保存されている画像データは、メモリコントローラ１５を介して画像表示処理部６１に入力されるので、液晶モニター２０１で画像編集の様子を確認することができる。
【００１７】
編集時あるいは撮影時には、ＣＰＵ２０により制御され、マイク４３、音声インターフェース４１を介してオーディオデータも取り込むことができる。音声データは、撮影した画像データとペアとなり記録メディアに記録される。記録された音声データを再生するときは、撮像した画像データと同時に記録メディアから読み出し、画像再生を行いながら音声インターフェース３１を介してスピーカ２０３から音声出力することができる。但し、本発明では、画像を再生し、確認を行うときに音声は消音することも可能である。
【００１８】
撮影時には、ＣＰＵ２０は、制御部１８を介して、制御信号に応じてズーム調整、自動アイリス調整（ＡＥ）、自動フォーカス調整（ＡＦ）、フラッシュ制御等を行うことができる。さらにＣＰＵ２０に対しては、操作部２１及びリモコン受信部２２を介して、外部からの操作信号が与えられる。またＣＰＵ２０は、外部接続インターフェース（図示せず）にも接続されており、カメラをＴＶなどの外部表示装置との接続も可能である。操作部２１は、ここでは、図１で示した各種の操作ボタンなどを総称して示している。
【００１９】
さらにＣＰＵ２０は、ステイタスＬＥＤ２０５を状況表示装置として制御することができる。この状況表示装置は、カラー表示が可能であり、表示パターンと表示色の種類との組み合せにより、各種の情報をカメラ本体の前のユーザに伝達することができる。色としては、例えば６色がある。また、表示パターンとしては、ゆっくり点滅、素早く点滅、連続点灯、間欠点灯など各種がある。これに色の種類の組み合せがある。
【００２０】
このような、表示パターンと表示色の種類との組み合せは、ユーザは任意に設定し、カスタマイズすることが可能である。
【００２１】
次に本発明の電子カメラ装置における特徴的な構成及び処理方法を説明する。
【００２２】
「アルバム識別情報」
アルバム識別情報は、ここではアルバムの種類などを識別する情報であり、アイコン、マーク、記号、図形、文字あるいはこれらの組み合わせにより構成されるものであり、以下、アイコンという用語を代表して使用することにする。
【００２３】
図３には、多数のアルバムアイコンの例を示している。このアルバムアイコン１−３２には、予め英語名と、日本語名のアルバム名がつけられていてもよい。このアルバムは、予めアルバム作成用としてメモリ４３に格納されているもので、初期時には、アルバムアイコンとしての機能を持つわけではない。後述するようにアイコンが選択されて、アルバム作成処理が行われたときにアルバムアイコンとして機能するようになる。
【００２４】
本発明に係る電子カメラ装置は、モードレバー２１６を操作することにより、撮影モードと再生モードに交互に切換えることができる。撮影モードにおいてメニューボタン２１５を操作すると液晶モニター２０１に撮影メニューが表示される。この撮影メニューの各種項目は、ジョグダイヤル２１３を回転操作することにより、種々の項目に切換えることができる。
【００２５】
図４は、撮影メニューが液晶モニター２０１に表示された様子を示している。ジョグダイヤル２１３と液晶モニター２０１は隣り合った配置である。そして、液晶モニター２０１では、ジョグダイヤル２３１の円弧の一部が、表示されたような形態である。ジョグダイヤル２１３を回転させると、撮影メニューの各種項目が画面に次々とスクロールするように現れるとともに、画面の上下中央位置に来た項目がカーソルで指示され、選択されるようになっている。
【００２６】
所望の項目が選択されたときに、ＯＫボタン２１４を押すと、選択された項目に関して詳細な設定を行うための画面に切り替わる。
【００２７】
図５（Ａ）と図５（Ｂ）には、撮影メニューを用いて各種の撮影条件を設定する場合のボタンの役割と、項目名と設定内容とを示している。本発明の装置では、アルバム選択という項目がある。
【００２８】
図６（Ａ）は、「アルバム選択」という項目が選択された様子を示している。ここでＯＫボタン２１４を押すと、図６（Ｂ）に示すように、記録メディアとしてハードディスク（ＨＤＤ）とＳＤカードのいずれを選択するのかを問い合わせてくる。ここでユーザは、ＯＫボタン２１４を上向きの三角矢印の方向、或いは下向きの三角矢印の方向へ押し付けることにより、ＨＤＤまたはＳＤカードをカーソルで選択することができる。ＨＤＤをカーソルで選択した場合、「ＨＤＤ」と言う表示が液晶モニター２０１に表示され、ＳＤカードを選択した場合、「ＳＤカード」という表示が液晶モニター２０１に表示される。図６（Ｂ）は、「ＨＤＤ」が選択された様子を示している。
【００２９】
ここで、ハードディスクにすでに複数のアルバムがある場合は、図６（Ｃ）に示すように、アルバムアイコン６１，６２，６３がジョグダイヤル２１４の回転操作に伴って現れてくる。そしてこの場合は、中央に位置するアルバムアイコン６２のアルバムが選択可能であることを示している。このアルバムに対するアルバム名６４も表示される。
【００３０】
ここで、ＯＫボタン２１４を押して、アルバムアイコン６２に対応するアルバムを選択すると、このアルバムに対して、撮像データが関連付けられることになる。図では、アルバムは単純に箱を示しているが、実際には、図３に示したような画像として現れてもよい。
【００３１】
今、図６（Ｃ）は、「family 101」というアルバムを選択した様子を示している。しかし、家族の中で、父親が撮影した第１のアルバム「family 101」に対して、息子が撮影した画像用の第２のアルバム「family」を作りたい場合がある。
【００３２】
このような場合、息子は、ＯＫボタン２１４を下向きの三角矢印の方向へ押し付けることにより、「新規作成」というアイテムを選択することができる。「新規作成」が選択された状態で、ＯＫボタン２１４が押されると、図６（Ｄ）に示すように、新しいアルバムが作成される。このときは、例えば第２のアルバムは「family102」として設定される。したがって、第１と第２のアルバムの区別は可能である。
【００３３】
続いて、さらにＯＫボタン２１４が押されると、図６（Ｅ）に示すように、アルバムに格納する画像ファイルの番号を、リセットするかどうかを問い合わせてくる。これは、ファミリーとしての第１のアルバムの続きとして第２のアルバムを作成したときは、画像ファイル番号が、連続したほうが好ましいし、第１のアルバムと、第２のアルバムとは独立したものとして扱う場合には、それぞれの画像ファイルは、初期値からスタートしたほうが好ましいからである。
【００３４】
この場合も、ユーザは、ＯＫボタン２１４を上向きの三角矢印の方向、或いは下向きの三角矢印の方向へ押し付けることにより、「はい」「いいえ」のどちらかを選択することができる。
【００３５】
図６（Ｃ）の状態において、さらにジョグダイヤル２１３を回転させると、図３に示したアイコンが次々と現れる。ユーザは、任意のアイコンを選択して新たなアルバムを作成することができる。
【００３６】
撮影時にユーザがなにもアルバムを指定することなく、また新たにアルバムを作成することなく、撮影を行うと、撮影した画像ファイルは、図３の「カレンダー」というアイコンのアルバムに自動的に格納されるようになっている。
【００３７】
「モニタリング」
上記したように本発明の電子カメラ装置では、上記したようにアルバムを設定することができる。このために、モニター画面では、撮像している静止画、或いは動画がいずれのアルバムに格納中であるのかを表示することができる。
【００３８】
図７には、撮影モードにおいて、液晶モニター２０１に表示可能な各種のアイコンの例を示している。ここで、左下にあるように、これから撮影する画像データがいずれのメディアに記録されるのかをアイコン７−２１で示している。この例では、ハードディスクに記録されることを表している。また、いずれのアルバムに格納されるかを示すアイコン７−２２が示されている。この例では、ファミリーのアルバムであり、アイコン７−２２の右横にホルダ番号１００が示されている。
【００３９】
その他のアイコンについて説明すると以下のようになる。７−１は、電池残量を示すアイコン、７−２は、動画マークであり動画撮影時のアイコン（ハーフシャッター時には消える）、７−３は、撮影可能時間を示し（ハーフシャッター時には消える）、７−４は、静止画マークであり、静止画撮影時のアイコンであり、動画撮影時をのぞいて表示される。７−５は撮影可能枚数を示す。７−６はズームバーの状態を示す。７−７は手振れ警告であり、静止画のシャッタ速度が遅いときは警告表示され、動画撮影中は非表示である。７−８はフォーカスの参照用のマークであり、オートフォーカスのときは非表示である。７−９は、シーンのマークであり、オート以外は表示、７−１０はフラッシュを意味し、発光する場合にはハーフシャッター時に黄色に変化する。７−１１は、露出補正を示す、７−１２はセルフタイマーのマークである。
【００４０】
７−１３は、ホワイトバランス、７−１４は感度、７−１５は測光方式を示している。また７−１６は動画クオリティーを示し、７−１７は風音低減、７−１８は静止画サイズ、７−１９は静画クオリティーを示し、７−２０は連写を示す。７−２１は先に説明したメディアを示し、７−２２はアルバムを示す。さらに７−２３は日付・時刻である。７−２４は、フォーカスエリアを示す。
【００４１】
「撮像条件の詳細表示と通常表示」
この発明の電子カメラ装置は、液晶モニター２０１に、アイコン表示する場合、通常表示と詳細表示を切換えることができる。通常表示は、撮影に必要な最小限のアイコンを表示するもので、詳細表示は、各種の設定状態も追加表示される。詳細表示は、撮影条件を各種設定する時、及び、メニューで何らかの設定を変更して、モニタリング画面に戻ったときに、例えば３秒間の詳細表示が行われる。
【００４２】
また、図８（Ａ）、図８（Ｂ）に示すように通常表示状態のときには「ＯＫ  表示切換」という表示が得られる。ユーザはＯＫボタンを操作することにより、通常表示から詳細表示に切換えることができる。通常表示のときは必要最小限のアイコンが表示されるから、ユーザは、モニターしている撮像画像を見やすくなる。詳細表示の場合は、設定変更した内容などを確認できる。また詳細表示のときは、各種の設定した項目が表示される。記録媒体のアイコン７−２１（図の例ではハードディスク）、アルバムアイコン７−２２（図の例ではFamily)が表示されている。
【００４３】
「動画撮影時の一時停止」
この発明の電子カメラ装置は、動画撮影モードにおいて、一時停止機能を有する。この場合、一時停止した部分で、記録データは、例えば動画ファイル（或いはチャプター）の区切りとして管理される。したがって、動画撮影中にポーズボタンを操作することにより、動画ファイルを次々と作成していくことができる。
【００４４】
図９（Ａ），図９（Ｂ）を参照して説明する。図９（Ａ）は動画撮影状態のときの液晶モニター２０１の表示例を示している。ここで、ＯＫボタン２１４が操作されると、一時停止した状態に移行し、図９（Ｂ）に示すような画面となる。図９（Ｂ）の画面の状態から、再度ＯＫボタン２１４を操作すると、動画撮影状態に戻る。ユーザは、図９（Ａ）のアイコン９−１０の記載と、図９（Ｂ）のアイコン９−１１の記載を理解することにより、上記の操作を行うことができる。そしてポーズ状態のときは、図９（Ｂ）に示すように、一時停止マークとしてのアイコン９−１２が表示される。
【００４５】
「操作すべきキー（例えばジョグダイヤル）と操作内容を示すアイコンを組み合わせて表示」
この発明の電子カメラ装置は、例えば露出補正とマニュアルフォーカスを行う場合、その調整値と共に、調整を行うための操作部のアイコンを並べて表示することができる。即ち、図１０に示すような表示を得ることができる。
【００４６】
メニュー状態でジョグダイヤル２１４を回転すると、マニュアルフォーカスという項目が現れる。ここでＯＫボタン２１４を押すと、マニュアルフォーカス調整を行うことができる。この場合、ジョグダイヤルを回転させると、ガイドガイド画面２０１ａのアイコンがガイドガイド画面２０１ｂで示すような表示状態になる。ガイドガイド画面２０１ｂでは、ジョグダイヤルのマークと調整値が表示される。ここで、ジョグダイヤル２１４を回転させると、フォーカスを調整することができる。
【００４７】
ガイドガイド画面２０１ｂの表示状態から、ＯＫボタン２１４を右向きの三角矢印の方向へ押し付けるとガイドガイド画面２０１ｃのように、今度は露出調整状態に移行することができる。この状態でジョグダイヤル２１３を回転させると、露出調整を得ることができる。このときは、露出調整のアイコン１０−３の部分にジョグダイヤルのマークが現れている。
【００４８】
ガイドガイド画面２０１ａからガイドガイド画面２０１ｃの露出調整画面に移行する場合には、ＯＫボタン２１４を右向きの三角矢印の方向へ押し付けることで移行することができる。ガイドガイド画面２０１ｃの状態から、ＯＫボタン２１４を押し付けると、５秒後に撮像モードの画面に移行する。
【００４９】
上記のように、本発明の電子カメラ装置では、アイコンの横にジョグダイヤルのマークを表示することで、ユーザが操作すべき操作部を視覚的に案内することが可能である。この例ではジョグダイヤルのマークを示したが、他のキーのマークであってもよい。
【００５０】
「撮影条件を設定するとき、その設定結果が影響を与える撮影モードのアイコンを表示」
この発明の電子カメラ装置では、撮影条件を設定するとき、その設定結果が動画撮影時と静止画撮影時とのいずれに影響を与えるのかをアイコンで示すことができる。
【００５１】
図１１には、撮影感度を設定するときの液晶モニター２０１でのガイドガイド画面２０１−１の様子を示している。ジョグダイヤル２１３を回転させると、感度調整の項目として「ＩＳＯ感度」という表題が現れる。ここでＯＫボタン２１４を操作すると、ガイドガイド画面２０１−２に変化し、具体的に感度を設定する画面となる。ガイドガイド画面２０１−２に示すように、ＩＳＯ感度としては、オート２００、オート４００、７０、１００、２００、４００を選択できるようになっている。ジョグダイヤル２１４を回転させると、ガイドガイド画面２０１−２に現在の選択状況が表示される。図面では、オート２００が選択されている様子を示している。
【００５２】
さらにこの発明の電子カメラ装置では、この感度調整を行った場合、動画撮影に影響を与えることと、静止画撮影に影響を与えることを、分かりやすく、アイコン７−２、７−４を表示することができる。感度設定が終了したら、ＯＫボタン２１４を左向きの三角矢印の方向へ押し付けるとガイドガイド画面２０１−１に戻ることができる。
【００５３】
図１２には、静止画クオリティーが設定される場合の例を示している。この電子カメラの場合は、動画撮影時のクオリティーは予め一定の値（例えば０．３Ｍ（メガビット））に設定されている。しかし、静止画の場合は、複数に設定することができる。この図の例では、ノーマルとファインを選択できるように示しているが、画質として３Ｍ，１．２Ｍ，５Ｍを設定できるようにしてもよい。
【００５４】
撮影メニュー表示モードにおいて、ジョグダイヤル２１３を回転させると、画質設定の項目として、「画質クオリティー」という表題が現れる（ガイド画面２０１−３）。ここでＯＫボタン２１４を操作すると、ガイド画面２０１−４に変化し、具体的にクオリティーを設定する画面となる。ここでは、ジョグダイヤル２１３を回転させることにより、ノーマルとファインを選択できる。図の例ではファインが選択された様子を示している。静止画クオリティー設定が終了したら、ＯＫボタン２１４を左向きの三角矢印の方向へ押し付けるとガイド画面２０１−３に戻ることができる。この静止画クオリティーの設定を行う場合、設定結果が、静止画撮影に影響を与える。このことは、アイコン７−４を表示することで、ユーザに分かりやすくしている。
【００５５】
上記の例は、静止画クオリティー設定の場合と、ＩＳＯ感度設定の場合を示した。しかし他の項目が設定されるときも、設定結果が動画撮影、静止画撮影のいずれに影響を与えるのか、また両方に影響を与えるのかを、アイコン表示により分かりやすく表示することができる。
【００５６】
「再生モードの動画再生において、いずれの記録媒体のいずれのアルバムから再生されているのかをアイコンで示す」
図１３には、静止画再生モードにおけるガイド画面２０１−６を示している。この画面は、ユーザガイドとなるアイコンに関しては、通常表示状態である。ここで、アイコン７−２１、アイコン７−２２に見られるように、再生画像データの記録メディアのアイコン７−２１が現れるととともに、再生画像データが格納されているアルバムアイコン７−２２も現れる。撮影モードではこれらのアイコンは、画面の左下に現れたが、再生モードでは画面の上部に現れる。ここで再生中にＯＫボタン２１４を押すと、ガイド画面２０１−７に示すようにアイコンが非表示の画面となる。このガイド画面２０１−７の状態からさらにＯＫボタン２１４を押すと、ガイド画面２０１−８に示すように、詳細な設定状態が現れる。さらにこのガイド画面２０１−８の状態からＯＫボタン２１４を押すと、ガイド画面２０１−６の表示状態となる。
【００５７】
上記は静止画再生モードにおいて画面が変化した様子を示したが、動画再生モードにおいても同様である。動画再生モードにおける通常画面はガイド画面２０１−９のような表示状態となる。このときも再生中の記録メディアと、アルバムを示すアイコン７−２１、７−２２が現れる。このガイド画面２０１−９が現れている状態からＯＫボタン２１４を押すと、ガイド画面２０１−７のような表示状態に移行することができる。
【００５８】
「静止画をズーム再生したとき、ズームしているエリアを分かりやすく示す」
この発明の電子カメラ装置は、静止画再生モードでは、拡大表示処理、縮小表示処理を行うことができる。図１４のガイド画面２０１−１１は、静止画再生モードにおいて、拡大縮小を行っていない通常再生状態である。ここで、ズームレーバー２１２を操作するとＴ側に押し付けると拡大画面となる。拡大画面において、ユーザは、ＯＫボタン２１４を上向きの三角矢印の方向、或いは下向きの三角矢印の方向、或いは左向きの三角矢印の方向、或いは右向きの三角矢印の方向へ押し付けることにより、拡大位置を移動させることができる。ガイド画面２０１−１２には、拡大画と、縮小全体画と、拡大位置マークが現れた様子を示している。この例では、画面の右下に縮小全体画が表示されるとともに、この縮小全体画の中に枠で囲んだように拡大位置マークが現れる。
【００５９】
全体画の中のどこの位置が拡大されているかは、拡大位置マークの位置を、縮小全体画の中で認識することで可能である。縮小全体画と拡大位置マークは、ズームレーバー２１２、ＯＫボタン２１４を操作しなくなってから、一定時間（例えば３乃至５秒）経過すると、消滅する。このときはガイド画面２０１−１３のように、拡大画となる。しかし、ユーザがズームレーバー２１２、あるいはＯＫボタン２１４の操作を開始すると再び表示される。
【００６０】
「サムネイル表示においてアルバムとアルバムの境目を表示し、ユーザのアルバム感覚を意識させる」
この発明の電子カメラ装置では、サムネイルを表示することができる。このときもどのアルバムのサムネイルが表示されているのかを、アルバムアイコンで示すことができる。
【００６１】
図１５と図１６には、サムネイルを表示するときの画面の例を示している。図１５において、ガイド画面２０１−１５はハードディスクのファミリーアルバム１０１の写真のサムネイルを表示した様子を示している。ズームバー２１２をＷ方向へ操作すると、アルバムを選択することができる。またズームバー２１２をＴ方向へ操作すると、写真を拡大表示できる。通常の状態では、液晶モニター２０１に例えば６枚の写真を表示することができ、表示画面には、写真の上下に余裕があるように表示される。ジョグダイヤル２１３の回転により、サムネイルの配列状態を図のように６枚表示しながら、全体をスクロールすることができる。図１５のガイド画面２０１−１５の状態から、ジョグダイヤル２１３を左方向へ回転させていくと、画像が上方向スクロールすし、ガイド画面２０１−１６に示す状態を得ることができる。この例では、ファミリーアルバム１０１の最後の写真までを表示したことを意味し、これ以上スクロールを進めると、次のアルバムが存在することを示している。即ち、メッセージマーク１５−１が現れて、これ以降は、次のアルバムのサムネイルが現れることをユーザに分かりやすく表示している。さらにスクロールを進めると、ガイド画面２０１−１７に示すように、次のアルバム５５５の写真が現れる。ガイド画面２０１−１７に示すように、この実施の形態では、６枚のサムネイル写真を表示した場合、表示エリアは、余裕をもつ。そして表示エリアの例えば下部に、次に現れるべき写真１５−ａ、１５−ｂ、１５−ｃが少しだけ現れるように設計されている。このためにユーザは、次のサムネイルが存在することを、容易に認識することが可能であり、また操作感覚と合致したサムネイル表示が得られる。
【００６２】
図１６は、図１５のガイド画面２０１−１７の状態から、ジョグダイヤル２１３を右方向へ回転させて、画像を下方向へスクロールさせた場合の例を示している。画像がスクロールされて、ファミリーのアルバム５５５の写真の先頭に戻ると、ガイド画面２０１−１７の状態からガイド画面２０１−１８の状態になる。このときは、画面の上部にこれ以降は、前のアルバムですというメッセージを示すメッセージマーク１５−２が現れる。これによりユーザは、アルバムを意識しながらサムネイルを見ることができる。さらにスクロールを進めると、ガイド画面２０１−９に示すように、アルバム１０１のサムネイルが表示されるようになる。このときも、表示エリアでは、次の行の写真１５−ｄ、１５−ｅ、１５−ｆの一部が現れて表示される。この一部表示は、このアルバムに格納されている写真がさらに存在することをユーザに認識させることができる。したがって、ユーザがサムネイルの見逃しを行うようなことが防止される。
【００６３】
「動画再生モードにおけるチャプター選択時の表示形態はフィルム態様」
この発明の電子カメラ装置は、動画再生時であってチャプター選択が行われるときは、チャプターを構成する連続する複数の画像が同時表示される。図１７に示す動画再生モードにおける準備ガイド画面２０１−９において、ズームバー２１２をＴ方向へ操作すると、ガイド画面２０１−２１の状態となる。チャプターＮｏ．０６、再生時間５２分２７秒であることがメッセージで現れている。次のチャプターに変えたい場合は、ジョグダイヤル２１３を例えば、右方向へ回転されると、ガイド画面２０１−２２の状態となる。即ち、チャプターＮｏ．０７、再生時間３０分００秒であることがメッセージで現れている。ここで、もしＯＫボタンを押すと、このチャプターの動画再生が開始される。ガイド画面２０１−２２の状態から、ジョグダイヤル２１３を左方向へ回転させると、ガイド画面２０１−２１の状態に戻ることができる。
【００６４】
ここで、チャプター選択したときの、上記した初期の画面では、選択されたチャプターの複数の画像がフィルム状に表示される。つまり、複数のこまを含むフィルムの一部が表示された状態となる。フィルム状とした理由は次の理由からである。一般ユーザに対して、フィルムと言えば映画のイメージを沸かせる。つまり、今の再生モードが動画再生モードであることを印象つける効果があるからである。また複数のこまを表示したのは以下の理由による。１こまを見ただけであると、ユーザがコンテンツの内容を判断しにくい場合がある。そこで、複数のこまから、ユーザがコンテンツ内容を判断しやすくしたからである。
【００６５】
「アルバムに対するプロテクト、アルバム内の画像ファイルへのプロテクト」
「前のアルバムが表示される」
再生メニューからジョグダイヤル２１３を回転させて、プロテクトの項目を選択することができる。図１８には、プロテクトという項目が選択されたときのガイド画面２０１−２５を示している。ここで、ＯＫボタン２１４を押すと、ガイド画面２０１−６の表示状態となる。この表示状態では、アイコン７−２２に示されるファミリーのアルバム１００の画像が現れる。ここで、現在現れている画像にプロテクトをかける場合には、ＯＫボタンを押すことでプロテクトが設定される。このときは、画像の下に鍵マーク１８−ａが現れる。プロテクトを解除したい場合は、再度ＯＫボタンを押せばよい。このアルバム内の別の画像にプロテクトをかける場合には、ジョグダイヤル２１３を回転させることで、次の画像を表示することができる。プロテクトをかけたい所望の画像が現れたときに、ＯＫボタン２１４をおすことでプロテクトをかけることができる。
【００６６】
現在表示されている画像を格納しているアルバムの全体にプロテクトを掛けたい場合には、ガイド画面２０１−２６の状態から、下方向へ向いた三角矢印の方向へＯＫボタン２１４を操作して、カーソルを移動させる。そして、「全て選択」という項目にカーソルを合わせて、つぎにＯＫボタン２１４を押すことで、アルバムの全体にプロテクトをかけることができる。アルバム全体のプロテクトを解除したい場合には、カーソルが「全て選択」という項目に位置している状態から、ジョグダイヤル２１３を回転させると、カーソルが移動し、「全て解除」という項目にカーソルを合わせすることができる、次にＯＫボタン２１４を押し付けることで、選択されたアルバムに対するプロテクトが解除される。
【００６７】
ジョグダイヤル２１３を回転すると、「決定」という項目にもカーソルを移動させることができる。この状態で、ＯＫボタン２１４を押すと、これまでに設定したプロテク、或いはプロテクト解除が確定して、再生メニュー画面に戻ることができる。
【００６８】
別のアルバムを選択したい場合には、左方向或いは右方向の三角矢印方向へＯＫボタン２１４を操作することで、別のアルバムをアクセスすることができる。アクセス中のアルバムは、アイコン７−２２を確認することで可能である。
【００６９】
上記の処理でもアルバムの境界をユーザは容易に認識できる。即ち、アクセス中のアルバムに含まれる画像ファイルのサムネイルを表示するととともに、サムネイルの表示をスクロールさせることができる。そして、スクロールが進行し、次のアルバムにアクセスが移行するときは、次のアルバムのアルバムアイコンをサムネイルに並べて表示される。図の例では「前のアルバム」というメッセージとともに、アルバムアイコンが表示されている。
【００７０】
上記の処理は、アルバム内の画像ファイルを見ながらプロテクトの設定を行った。しかし、全てアルバム単位でプロテクトの設定及び解除を行うことが可能である。
【００７１】
図１８に示したガイド画面２０１−２６（図１９にも示す）の状態から、ズームバー２１２をＷ側に押し付けると、図１９のガイド画面２０１−２７の画面に切り替わる。ガイド画面２０１−２７では、例えば３つのアルバムが表示され、中央のアルバムがアクセス対象として設定される。そして、この中央のアルバムの記録メディア７−２１及びアルバムアイコン７−２２も表示される。ここで、もしこのアルバムにプロテクトがかかっていた場合には、鍵マーク１９−ａが表示される。ガイド画面２０１−２７の状態からズームバー２１２をＴ側に押し付けるとガイド画面２０１−２６に切り替わる。つまりアルバムの中のサムネイル表示（画像表示）が得られる。
【００７２】
ＯＫボタン２１４を下向きの三角矢印方向へ押し付けると、カーソルが項目「全てを選択」に移動する。さらにジョグダイヤル２１３を回転させると、カーソルを項目「全て解除」、「決定」、「キャンセル」などへ移動させることができる。
【００７３】
「全て解除」を選択して、ＯＫボタン２１４を押し付けると、中央のアルバム、この例ではファミリーアルバム１００のプロテクトが解除される。またこのときは鍵マーク１９−ａの消えることになる。
【００７４】
別のアルバムに対してプロテクトをかける場合には、ガイド画面２０１−２７の状態（カーソルによる項目選択がなされていない状態）でジョグダイヤルを回転させると、スクロールが得られ、前のアルバム、あるいは後のアルバムを中央に位置させることができる。
【００７５】
さらにガイド画面２０１−２７の状態からズームバー２１２をＷ側に押し付けると、ドライブ選択のためのガイド画面２０１−２８が得られる。ハードディスクあるいはＳＤメモリ（ハンド対メモリ）のアイコンが表示される。ここで、任意の記録媒体を選択することができる。記録媒体の選択は、ジョグダイヤル２１４を回転させ、画面の中央に希望の記録媒体のアイコンを位置させることで、選択状態となる。ズームバー２１２をＴ側に押し付けると、ガイド画面２０１−２７の状態に戻り、選択した記録媒体に記録されているアルバム表示状態に戻ることができる。
【００７６】
この発明の電子カメラ装置では、上記したようにアルバム毎にプロテクトをかけることができるし、また、アルバムに格納されている画像ファイル毎にプロテクトをかけることもできる。したがって、アルバムによっては、プロテクトのかかった画像ファイルと、プロテクトのかかっていない画像ファイルとが混在するものも存在する。これをプロテクト混在アルバムと称する。これに対して全体にプロテクトがかかったアルバムをプロテクトアルバムと称する。またプロテクトのかかっていないアルバムを非プロテクトアルバムと称する。このようにプロテクトに関して、３種類のアルバムが存在するが、本発明の電子カメラ装置では、アルバム表示を行ったときにこのアルバムが容易に見分けられるように工夫されている。
【００７７】
図２０には、ファミリーのアルバムにプロテクトがかかっている様子を示すガイド画面２０１−２７を示している。アルバムアイコンの下に鍵マークが示されている。さらにこの状態からジョグダイヤルを回転させて、バースデーに関するアルバムが画面中央に配置された様子をガイド画面２０１−３０ａで示している。この画面では、バースデーに関するアルバムはプロテクトがかかっていないことを示している。さらにこの状態からジョグダイヤルを回転させて、ペットに関するアルバムが画面中央に配置された様子をガイド画面２０１−３０ｂで示している。このとき、中央のアルバムは、他のアルバムに比べて色が異なる、あるいは、例えばグレーの色が付されて表示される。このことは、このアルバム内の画像ファイルにプロテクトのかかったものと、プロテクトのかかっていないものが存在することを意味する。つまりこのアルバムはプロテクト混在アルバムであること意味する。
【００７８】
「スライドショーでは、アルバムを特定するか全アルバムを対象にするか選択できる」
図２１のガイド画面２０１−３１に示すように、この電子カメラ装置では、再生メニューにおいて、スライドショーという項目を選択することができる。ジョグダイヤル２１４を回転させて、スライドショーの項目位置にカーソルが一致したとき、ＯＫボタン２１４を右矢印方向へ押し付けると、スライドショーを実行するための待機ガイド画面２０１−３２に示すようになる。ここで、ＯＫボタン２１４を押すことなく、ジョグダイヤル２１３をまわすと、ガイド画面２０１−３３に移行して、スライドショーを行う対象画像の選択画面となる。ガイド画面２０１−３３に移ったときに、ＯＫボタン２１４を右矢印方向へ押し付けると、対象画像の項目「動画」をカーソルが指示するガイド画面２０１−３４となる。この状態で、ジョグダイヤル２１３をまわすと、項目「静止画」、「動画＆静止画」に次々とカーソルが移動する。所望の項目を選択して、ＯＫボタン２１４を左矢印方向へ押し付けるとガイド画面２０１−３３に戻る。
【００７９】
画面２０３−３３の状態からさらにジョグダイヤル２１３をまわすと、ガイド画面２０１−３５に移る。このガイド画面２０１−３５では、スライドショーを行うアルバムを選択することができる。ここでＯＫボタン２１４を右矢印方向へ押し付けるとガイド画面２０１−３６に移り、項目「現在のアルバム」をカーソルが指定する。ここでジョグダイヤル２１３をまわすと、項目「すべてのアルバム」に移る。さらにジョグダイヤル２１３をまわすと項目「現在のアルバム」に戻る。所望の項目にカーソルを合わせた後、ＯＫボタン２１４を左矢印方向へ押し付けるとガイド画面２０１−３５に戻る。
【００８０】
このガイド画面２０１−３５の状態で、ジョグダイヤル２１３をまわすと、ガイド画面２０１−３７の画面が現れる。この画面は、スライドショーの各画面の時間間隔を設定するための画面である。ここでＯＫボタン２１４を右矢印方向へ押し付けるとガイド画面２０１−３８に移り、項目「１秒」をカーソルが指定する。ここでジョグダイヤル２１３をまわすと、項目「３秒」、「５秒」、「１０秒」、「１秒」と順次に移る。所望の時間間隔が選択されたのち、ＯＫボタン２１４を左矢印方向へ押し付けるとガイド画面２０１−３７に戻る。続いて、ＯＫボタン２１４を左矢印方向へ押し付けるとガイド画面２０１−３５、２０１−３３、２０１−３２と戻ってくる。
【００８１】
ガイド画面２０１−３２のときにＯＫボタン２１４を右矢印方向へ押し付けるとスライドショーを開始する。スライドショーが実行されるなかでも、現在再生している記録媒体のアイコン、及びアルバムアイコン、画像ファイル番号が表示される。
【００８２】
「コピー機能ではコピー先として、既存のアルバム、新しいアルバムを設定可能」
図２２のガイド画面２０１−４０に示すように、再生メニューの画面において、ジョグダイヤル２１４を回すと項目「コピー」がカーソル位置に表示される。ここでＯＫボタン２１４を右矢印方向へ押し付けると、ガイド画面２０１−４１が現れ、「コピーする画面を選択してください」というメッセージが現れる。ここで、ジョグダイヤルを回転させて、項目「次へ」を選択すると、ガイド画面２０１−４２が現れる。この画面はコピーする画像を選択するためのもので、現在展開されているアルバムの画像が中央に現れる。ここでジョグダイヤル２１３を回転させることにより、希望の画像を中央位置に表示させることができる。コピーすべき画像が中央に位置すると、ＯＫボタン２１４を下向き矢印方向へ押し付けると、項目「決定」をカーソルが指定する。すると、ガイド画面２０１−４３に示すように、選択した画像の下にコピー対象であることを示すマーク２２−ａが現れる。ここでさらに、ＯＫボタン２１４を下向き矢印方向へ押し付けると、項目「決定」をカーソルが指定する。
【００８３】
すると、図２３に示すガイド画面２０１−４４に示すように「コピー先のアルバムを指定してください」というメッセージが現れる。このガイド画面２０１−４４においてジョグダイヤルを回転させて、項目「次へ」を選択すると、ガイド画面２０１−４５が現れる。このガイド画面２０１−４５は、まず、コピー先として記録媒体を選択させるための画面である。ハードディスクのアイコンと、半導体メモリのアイコンが現れている。ユーザはジョグダイヤル２１３を回転させて、そして、所望の記録媒体を画面中央に位置させることで選択することができる。図ではハードディスクが選択されている様子を示している。ここで、ＯＫボタン２１４を押し付けると、ハードディスクに設定されている、アルバムアイコンの表示が得られる。ガイド画面２０１−４６は、アルバムアイコンが複数表示された様子を示している。
【００８４】
ユーザは、希望のアイコンを画面中央に移動させて、ＯＫボタン２１４を押すと、当該アイコンのアルバムに対して、選択した画像がコピーされる。
【００８５】
ガイド画面２０１−４６の状態で新しくアルバムを作り、新しいアルバムにコピーしたい場合は、つぎのように操作する。即ち、ＯＫボタン２１４を下方向の矢印方向へ押し付けて、項目の「新しいアルバムにコピーする」にカーソルを合わせる。そしてジョグダイヤル２１３を回転させると、アルバムアイコンの表示部には、図３に示した複数のアイコンが次々と表示される。所望のアルバムアイコンが画面中央に表示されたとき、ＯＫボタンを押すと、新しいアルバムが設定されるとともに、新しいアルバムに対して選択した画像がコピーされる。この後、図には示していないが、「コピー中」といメッセージが現れ、コピーが終了したとき、「コピー終了」というメッセージが現れ、数秒（例えば３秒後）に再生メニューの画面に戻る。
【００８６】
図２２のガイド画面２０１−４０に示すように、この発明の電子カメラ装置は、移動機能も有する。動作及び操作は、コピー動作及び操作の場合に類似しているので詳細な説明は省略する。
【００８７】
図２４には、この発明の電子カメラ装置における特徴的な機能ブロックを示している。これらのブロックは、主として図２のＣＰＵ２０、メモリコントローラ１５、メモリ４３、画像処理部６１、液晶モニター２０１で構築される。各ブロックは、操作入力に応じてアイコンを処理するアイコン表示機能部４１１から選択されるアイコンをガイド画面に含めて表示部に出力する機能が含まれる。また各ブロックのガイド画面は、操作入力判定機能部４１２において判定された操作入力情報に基づいて変化する。このガイド画面の変化は、上述したとおりである。
【００８８】
機能ブロックを大別すると以下のようになる。新規アルバム作成機能とそのガイド画面処理部４１３、撮影メニュー処理機能とそのガイド画面処理部４１４、再生メニュー処理機能とそのガイド画面処理部４１５がある。さらにアルバム管理機能とそのガイド画面処理部４１６があり、ここには、撮影した画像ファイルの保存先アルバムの選択機能、画像ファイルを再生するときに対処となる再生対象アルバムの選択機能が含まれる。さらにまた撮影時に動作するブロックとして、静止画撮影とそのガイド画面処理部４１７、動画撮影とそのガイド画面処理部４１８が存在する。また再生時に動作するブロックとして、静止画再生とそのガイド画面処理部４１９、動画再生とそのガイド画面処理部４２０が存在する。
【００８９】
今までに説明したように、アルバムに関連した処理を行うブロックとしては、アルバムプロテクト処理機能とそのガイド画面処理部４２１ａ、画像ファイルプロテクト処理機能とそのガイド画面処理部４２１ｂ、コピー（又は移動）処理機能とそのガイド画面処理部４２２、スライドショー実行機能とそのガイド画面処理部４２３、サムネイル表示処理とそのガイド画面処理部４２４がある。
【００９０】
この発明に係る電子カメラ装置は、上記した各図で説明した特徴を有する。またこの発明に係る電子カメラ装置は、さらに次のような特徴的機能を実現する手段も備えるものである。即ち、動画撮影時に一時停止が実行されたときに、一時停止アイコンを表示画面の一部に表示する機能を有する（図９（Ｂ）。また、撮影条件を調整するとために調整を開始すると、調整値と操作すべきキーのマークが対となって表示される（図１０）。また撮影メニューにて調整項目を選択すると、この項目に対応するデータを調整した場合、調整結果が反映される撮像モード（静止画撮影か動作撮影か）のマークが、モニター画面に現れる（図１１）。
【００９１】
さらに静止画再生において、画像の拡大または縮小操作を行うと、拡大画面の中に全体画面を示す子画面が現れる（図１４）。そしてこの子画面の中に拡大箇所を示す枠（拡大位置マーク）が現れる。そして一定時間経過すると、子画面及び枠が消えるのである。
【００９２】
また、動画再生において、チャプター選択用のガイド画面を得ることができる（図１７）。チャプターが指定されたとき、このチャプターの中の複数のこまがフィルム状のイメージで表示され、動画であることの印象付けを行うことができる。
【００９３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９４】
【図１】この発明に係る電子カメラ装置の概観を示す説明図である。
【図２】図１の電子カメラ装置の光学系及び電気回路系を示す説明図である。
【図３】この発明に係る電子カメラ装置において、予め図１のメモリに用意されているアルバムアイコンのサンプルを示す図である。
【図４】この発明に係る電子カメラ装置において、ジョグダイヤル及びＯＫボタンと液晶モニターの画面の配置関係を示す説明図である。
【図５】この発明に係る電子カメラ装置の撮影メニューにて操作されるボタンの操作内容と撮影メニューにて選択される各種メニューの内容を示す説明図である。
【図６】この発明に係る電子カメラ装置の撮影メニューにてアルバム選択が行われるときの機能を説明するために示したモニター画面の例を示す図である。
【図７】この発明に係る電子カメラ装置のモニター画面に現れる各種アイコンの例を示す図である。
【図８】この発明に係る電子カメラ装置の撮影時において、撮像条件を示す各種の情報が通常表示された場合と詳細標示された場合の説明図である。
【図９】この発明に係る電子カメラ装置の動画撮影時において一時停止マークが表示されたときの様子を示す画面の例を示す図である。
【図１０】この発明に係る電子カメラ装置の撮影条件が設定されるときに、調整値の表示の横に、操作すべきキー（例えばジョグダイヤル）のマークを示したガイド画面の例を示す図である。
【図１１】この発明に係る電子カメラ装置の撮影メニューにおいて撮影条件を設定したときに、設定条件が影響する撮影モードのアイコンを表示したガイド画面の一例を示す説明図である。
【図１２】この発明に係る電子カメラ装置の撮影メニューにおいて撮影条件を設定したときに、設定条件が影響する撮影モードのアイコンを表示したガイド画面の他の例を示す説明図である。
【図１３】この発明に係る電子カメラ装置の再生モードにおいて再生されている画像がいずれのアルバムのものであるかを分かりやすく示したガイド画面の例を示す図である。
【図１４】この発明に係る電子カメラ装置の静止画再生モードにおいて拡大表示処理、縮小表示処理を行った場合の画面の説明図である。
【図１５】この発明に係る電子カメラ装置において、サムネイルを表示するときのガイド画面の例を示す説明図である。
【図１６】この発明に係る電子カメラ装置において、サムネイルを表示するときのガイド画面の他の例を示す説明図である。
【図１７】この発明に係る電子カメラ装置において、チャプター表示を行った場合の特徴的な表示形態を示す説明図である。
【図１８】この発明に係る電子カメラ装置において、プロテクト処理を行うときのガイド画面の例を示す説明図である。
【図１９】この発明に係る電子カメラ装置において、プロテクト処理を行うときの他のガイド画面の例を示す説明図である。
【図２０】この発明に係る電子カメラ装置において、プロテクト処理を行うときのさらに他のガイド画面の例を示す説明図である。
【図２１】この発明に係る電子カメラ装置において、スライドショーを行うときのガイド画面の例を示す説明図である。
【図２２】この発明に係る電子カメラ装置において、コピーを行うときのガイド画面の例を示す説明図である。
【図２３】この発明に係る電子カメラ装置において、コピーを行うときの他のガイド画面の例を示す説明図である。
【図２４】この発明の電子カメラ装置における特徴的な機能ブロックを取り出して示す図である。
【符号の説明】
【００９５】
１４…信号処理部、１５…メモリコントローラ、１７…ワークメモリ、２０…ＣＰＵ、４３…メモリ、４１１…アイコン表示機能部、４１２…操作入力判定機能部、４１３…新規アルバム作成機能とそのガイド画面処理部、４１４…撮影メニュー処理機能とそのガイド画面処理部、４１５…再生メニュー処理機能とそのガイド画面処理部、４１６…アルバム管理機能とそのガイド画面処理部、４１７…静止画撮影とそのガイド画面処理部、４１８…動画撮影とそのガイド画面処理部、４１９…静止画再生とそのガイド画面処理部、４２０…動画再生とそのガイド画面処理部、４２１ａ…アルバムプロテクト処理機能とそのガイド画面処理部、４２１ｂ…画像ファイルプロテクト処理機能とそのガイド画面処理部、４２２…コピー（又は移動）処理機能とそのガイド画面処理部、４２３…スライドショー実行機能とそのガイド画面処理部、４２４…サムネイル表示処理とそのガイド画面処理部。
【図１】
2006191302.tif 000003
【図２】
2006191302.tif 000004
【図３】
2006191302.tif 000005
【図４】
2006191302.tif 000006
【図５】
2006191302.tif 000007
【図６】
2006191302.tif 000008
【図７】
2006191302.tif 000009
【図８】
2006191302.tif 000010
【図９】
2006191302.tif 000011
【図１０】
2006191302.tif 000012
【図１１】
2006191302.tif 000013
【図１２】
2006191302.tif 000014
【図１３】
2006191302.tif 000015
【図１４】
2006191302.tif 000016
【図１５】
2006191302.tif 000017
【図１６】
2006191302.tif 000018
【図１７】
2006191302.tif 000019
【図１８】
2006191302.tif 000020
【図１９】
2006191302.tif 000021
【図２０】
2006191302.tif 000022
【図２１】
2006191302.tif 000023
【図２２】
2006191302.tif 000024
【図２３】
2006191302.tif 000025
【図２４】
2006191302.tif 000026